(57)【特許請求の範囲】
【請求項１】
板状の表示媒体の少なくとも一部を覆うことが可能な導光板と、該導光板の端面に設けた光源とを備えた照明装置であって、
前記導光板の前記表示媒体に対向する側とは反対側の面である非対向面に、前記非対向面に対して前記光源側に傾斜した反射面を有するドット状反射凹部を設け、前記導光板により伝送した光を、前記ドット状反射凹部の反射面により反射させて、前記表示媒体を照明し、
前記ドット状反射凹部の開口率を０．５〜５％に設定し、
前記ドット状反射凹部の平面視形状が略長方形状とされ、そのアスペクト比は１：１であり、
前記ドット状反射凹部の反射面の表面粗さは、１μｍ以下であることを特徴とする照明装置。
【請求項２】
前記ドット状反射凹部の反射面は、前記導光板の非対向面に対して、３０度以上８０度以下で傾斜していることを特徴とする請求項１に記載の照明装置。
【請求項３】
前記ドット状反射凹部の開口サイズが１μｍ〜１ｍｍに設定されることを特徴とする請求項１または２に記載の照明装置。
【請求項４】
前記ドット状反射凹部のピッチが１μｍ〜１ｍｍに設定されることを特徴とする請求項１〜３のいずれか１項に記載の照明装置。
【請求項５】
前記表示媒体は、液晶表示装置、あるいは、電気泳動方式の表示装置であることを特徴とする請求項１〜４のいずれか１項に記載の照明装置。
【請求項６】
板状の表示部と、前記表示部の少なくとも一部を覆うことが可能な導光板と、該導光板の端面に設けた光源とを備えた表示装置であって、
前記導光板の前記表示媒体に対向する側とは反対側の面である非対向面に、前記非対向面に対して前記光源側に傾斜した反射面を有するドット状反射凹部を設け、前記導光板により伝送した光を、前記ドット状反射凹部の反射面により反射させて、前記表示部を照明し、
前記ドット状反射凹部の開口率を０．５〜５％に設定し、
前記ドット状反射凹部の平面視形状が略長方形状とされ、そのアスペクト比は１：１であり、
前記ドット状反射凹部の反射面の表面粗さは、１μｍ以下であることを特徴とする表示装置。
【請求項７】
前記ドット状反射凹部の反射面は、前記導光板の非対向面に対して、３０度以上８０度以下で傾斜していることを特徴とする請求項６に記載の表示装置。
【請求項８】
前記ドット状反射凹部の開口サイズが１μｍ〜１ｍｍに設定されることを特徴とする請求項６または７に記載の表示装置
【請求項９】
前記ドット状反射凹部のピッチが１μｍ〜１ｍｍに設定されることを特徴とする請求項６〜８のいずれか１項に記載の表示装置。
【請求項１０】
前記表示部は、液晶表示装置、あるいは、電気泳動方式の表示装置で構成されることを特徴とする請求項６〜９のいずれか１項に記載の表示装置。
【発明の詳細な説明】
【技術分野】
【０００１】
本発明は、照明装置および表示装置に用いて好適な技術に関する。
【背景技術】
【０００２】
外光を反射させて表示を行う反射型ディスプレイとして、電子ペーパーが知られている。この電子ペーパーは、紙の長所とされる視認性や携帯性を兼ね備えた、表示内容を電気的に書き換えることができる表示媒体をいう。電子ペーパーは、上記長所から電子ブックリーダなどに採用されつつある。
電子ペーパーの代表的な表示手法に、電気泳動手法が存在する。この手法では、画素電極と当該画素電極を駆動する薄膜トランジスタを形成した素子基板と、透明な基板に一様に透明電極（対向電極）を形成した対向基板との間に電気泳動素子を狭持した構成が採用される。この構成にて、透明電極と画素電極の間に所望の電位差を与えることによって、画像を形成することができる。なお、この手法では、透明電極にて形成された対向電極側から画像を視認するのが一般的である（例えば、特許文献１，２）。
また、上述した電気泳動手法の他に、異なる波長の光を選択的に反射するコレステリック液晶を使用し、多色カラー表示を可能とする手法なども存在する。
【０００３】
上述した電子ペーパーや、いわゆる反射型液晶表示装置などを用いた反射型ディスプレイはいずれも、透過型ディスプレイとは異なり、蛍光灯や太陽光などの外光を反射して表示を行う。このため、周囲が暗い状態では使用できず、ディスプレイ照明のためにフロントライトを設けることがある。
【先行技術文献】
【特許文献】
【０００４】
【特許文献１】米国特許第６，０６７，１８５号公報
【特許文献２】特開２００３−１０７５３５号公報
【特許文献３】特開２００７−０５２９３０号公報
【発明の概要】
【発明が解決しようとする課題】
【０００５】
しかし、ノート型ＰＣなどに比べて携帯性が重視される電子ブックリーダに用いるフロントライトには、薄型化、軽量化が求められる。また、電気泳動手法を採用した電子ペーパーなどでは、表示内容を変化させる時にだけ電力を消費するので、装置全体の消費電力に占める照明の割合が相対的に大きい。このため、フロントライトに対する消費電力低減要求は強い。
また、フロントライトには、高い光透過性が要求される。フロントライトの光透過性が損なわれると、その度合いが少しであっても表示画面の視認性が大きく低下してしまうからである。特に、フロントライトを点灯していないときの視認性低下は顕著である。
【０００６】
電子ブックリーダでは、充分な明かりのない使用環境下でも良好な視認性を確保する必要がある。そのためには、フロントライトの高輝度化が要求されるが、同時に、輝度の均一性も求められるが、例えばＡ４サイズ程度の表示画面全体を均一に高輝度に照明して、太陽光線下のような高い視認性を持たせることは困難であった。
例えば、特許文献２のように、フロントライトとして表面に凹凸がある導光板を用いると、凹凸部分を通して表示画面を視認することになり、視認性低下や表示の不均一性は無視できなかった。
また、特許文献３のように、平らな表面に傷を付けたような構造を用いて、充分な輝度を持たせようとすると、傷の部分が光源からの光を反射して光り、その光った部分が表示と干渉して、視認性の低下が著しかった。
このように、視認性や携帯性を兼ね備えた照明装置は提案されていなかった。
【０００７】
本発明は、上記の事情に鑑みてなされたもので、視認性や携帯性を兼ね備えた照明装置およびそれを搭載した表示装置を提供することを目的とする。
【課題を解決するための手段】
【０００８】
本発明の照明装置は、板状の表示媒体の少なくとも一部を覆うことが可能な導光板と、該導光板の端面に設けた光源とを備えた照明装置であって、
前記導光板の前記表示媒体に対向する側とは反対側の面である非対向面に、前記非対向面に対して前記光源側に傾斜した反射面を有するドット状反射凹部が設けられ、前記導光板により伝送した光を、前記ドット状反射凹部の反射面により反射させて、前記表示媒体を照明し、
前記ドット状反射凹部の開口率を０．５〜５％に設定し、前記ドット状反射凹部の平面視形状が略長方形状とされ、そのアスペクト比は１：１であり、前記ドット状反射凹部の反射面の表面粗さは、１μｍ以下であることにより上記課題を解決した。
本発明の照明装置において、前記ドット状反射凹部の反射面は、前記導光板の非対向面に対して、３０度以上８０度以下で傾斜していることができる。
また、前記ドット状反射凹部の開口サイズが１μｍ〜１ｍｍに設定される手段を採用することもできる。
本発明の照明装置では、前記ドット状反射凹部のピッチが１μｍ〜１ｍｍに設定されることが望ましい。
本発明の照明装置では、前記表示媒体は、液晶表示装置、あるいは、電気泳動方式の表示装置とすることができる。
本発明の表示装置は、板状の表示部と、前記表示部の少なくとも一部を覆うことが可能な導光板と、該導光板の端面に設けた光源とを備えた表示装置であって、
前記導光板の前記表示媒体に対向する側とは反対側の面である非対向面に、前記非対向面に対して前記光源側に傾斜した反射面を有するドット状反射凹部を設け、前記導光板により伝送した光を、前記ドット状反射凹部の反射面により反射させて、前記表示部を照明し、
前記ドット状反射凹部の開口率を０．５〜５％に設定し、前記ドット状反射凹部の平面視形状が略長方形状とされ、そのアスペクト比は１：１であり、前記ドット状反射凹部の反射面の表面粗さは、１μｍ以下であることができる。
本発明の表示装置において、前記ドット状反射凹部の反射面は、前記導光板の非対向面に対して、３０度以上８０度以下で傾斜していることができる。
また、前記ドット状反射凹部の開口サイズが１μｍ〜１ｍｍに設定される手段を採用することもできる。
本発明の表示装置では、前記ドット状反射凹部のピッチが１μｍ〜１ｍｍに設定されることが望ましい。
本発明の表示装置では、前記表示部は、液晶表示装置、あるいは、電気泳動方式の表示装置で構成することができる。
【発明の効果】
【０００９】
本発明によれば、視認性や携帯性を兼ね備えた照明装置およびそれを搭載した表示装置を提供することができる。
【図面の簡単な説明】
【００１０】
【図１】本発明に係る表示装置の第１実施形態を示す斜視図である。
【図２】本発明に係る表示装置の第１実施形態におけるドット状反射凹部を示す拡大側断面図である。
【図３】本発明に係る表示装置の第１実施形態におけるドット状反射凹部を示す拡大正面図である。
【図４】ドット状反射凹部の他の配置例を示す拡大正面図である。
【図５】ドット状反射凹部の他の配置例を示す拡大正面図である。
【図６】本発明に係る表示装置の第２実施形態を示す模式側断面図である。
【図７】本発明に係る表示装置の第２実施形態を示す斜視図である。
【図８】電気泳動素子の動作説明図である。
【図９】本発明に係る表示装置の第３実施形態を示す模式側断面図である。
【図１０】本発明に係る表示装置の第４実施形態を示す斜視図である。
【図１１】本発明に係る表示装置の第５実施形態を示す模式側断面図である。
【図１２】本発明に係る表示装置の第５実施形態を示す模式側断面図である。
【図１３】本発明に係る表示装置の第５実施形態を示す模式正面図である。
【図１４】ドット状反射凹部の他の配置例を示す拡大正面図である。
【発明を実施するための形態】
【００１１】
以下、本発明に係る照明装置に関する第１実施形態を、図面に基づいて説明する。
本実施形態の照明装置１０は、図１に示すように、透明な導光板１１と、導光板１１の端面１１ａに設けられ、導光板１１に向けて光を出射する光源１４とを備える。
【００１２】
光源１４としては、ＬＥＤ、蛍光灯、白熱灯、水銀灯、棒状導光体などを用いることができる。光源１４は、導光板１１の延在方向に沿って延在して形成するのが好ましい。図１では、光源１４は、略矩形状の導光板１１の一辺の端面１１ａに沿って延在して形成されている。
光源１４は、例えば、複数のＬＥＤが端面１１ａに沿う方向に配列されたものが使用できる。また、光源１４が発する光は、白色光、昼色光、暖色光などを例示でき、照明する対象に応じて適宜選択できる。なお、光源１４は、導光板１１の他の端面にも設けることができる。光源１４は図示しない電源や発光制御部に接続されている。
【００１３】
導光板１１は、使用波長の光に対して透明な材料であればよく、アクリル樹脂、ポリカーボネート樹脂、シリコン樹脂、シクロポリオレフィン樹脂等などの合成樹脂からなる板や、ガラス板などが用いられ、その中でも透明性、加工容易性などの点からアクリル板が好ましい。また、導光板１１の製造手法としては、後述するドット状反射凹部１２の形状を形成可能な手法が採用される。すなわち、例えば、射出成形や切削、特許文献３に開示された加熱状態で刃を押し当てる手法などが採用される。なお、射出成形では、導光板厚さ寸法が０．３〜０．５ｍｍ程度と薄いものも製造可能である。
【００１４】
導光板１１の厚さは、例えば０．３ｍｍ〜２ｍｍの範囲とすることができる。この導光板１１の厚さは導光板１１全体で均一であれば好適である。また、導光板１１は、図２に示すように、裏面（対向面）１１ｃ側に近接させる図示しない照明対象の表示媒体の視認性を低下しない程度の可視光透過性を有すること、つまり、透明であることが好ましい。また、本実施形態の場合、導光板１１は、略矩形状だが、これに限定されない。すなわち、導光板１１の形状は、光源１４からの光が入射する端面１１ａさえ形成可能であれば任意である。なお、図中では、導光板１１の裏面１１ｃは、表示媒体に対向する面であり、表面１１ｂは、その反対側の面であって、観察者側の面である。
【００１５】
表面（非対向面）１１ｂの全体には、複数のドット状反射凹部１２が一様に形成されている。
ドット状反射凹部１２は、図２などに示すように、表面１１ｂに形成された切欠きであり、端面１１ａから導光板１１に入射した光Ｌ１を裏面１１ｃ側に反射光Ｌ２として反射する反射面１２ａを有する。なお、図２では、入射光Ｌ１として、主光軸方向の光が記述されている。反射光Ｌ２もそれに対応したものとして記述されている。この例ではさらに、主光軸方向は、端面１１ａと直交する方向とされている。ドット状反射凹部１２は、後述するように、入射光Ｌ１が反射面１２ａに当たるような形状とされる。なお、図２などに示すように、端面１１ａと直交する方向を、以下、ｃ方向という。このｃ方向と直交する導光板厚さ方向を、以下、ｔ方向という。ｃ方向とｔ方向の両方に直交する方向を、以下、ｒ方向という。
【００１６】
本実施形態においては、図２に示すように、ドット状反射凹部１２は、導光板１１を入射光Ｌ１の方向に沿って断面視して反射面１２ａを斜辺とするＶ字形状とされるとともに、図３に示すように、平面視して略長方形状とされる。なお、この平面視形状は、ドット状反射凹部１２の開口部分の形状でもある。
【００１７】
ドット状反射凹部１２の平面視形状（長方形）についてのアスペクト比（縦横比）は、１０：１から１：１の範囲であることが好ましく、５：１から１：１の範囲がより好ましい。もっとも、アスペクト比は、１：１とすることが最も好ましい。ここで、アスペクト比とは、平面視したドット状反射凹部１２が内接する最小面積の長方形の長辺と短辺の比をいう。なお、本実施形態では、ドット状反射凹部２の平面視形状は長方形であり、アスペクト比は長方形の長辺と短辺の比（長辺：短辺）となる。アスペクト比が大きくなると、観察者にとってドット状反射凹部１２が目立ち易くなり、結果的に視認性が低下するので好ましくない。なお、本実施形態では、例えば、ドット状反射凹部２の長方形は端面１１ａと平行に配置されている。
【００１８】
反射面１２ａは、表面１１ｂに対して光源１４側に傾斜する。図２に示すように、この反射面１２ａの表面１１ｂに対する傾斜角度αは、上述した入射光Ｌ１を表示媒体側に効率的に反射させるように設定される。
【００１９】
傾斜角度αは、３０度以上８０度以下が好ましい。なお、反射光Ｌ２の出射方向を導光板厚さ方向である方向ｔにする場合、反射面１２ａの傾斜角度αは、４０度以上６０度以下が好ましい。これに対して、反射光Ｌ２の出射方向を方向ｔからずらす場合もあるので、傾斜角度αは、３０度以上８０度以下の範囲が好ましいこととなる。
【００２０】
反射面１２ａの傾斜角度αは、導光板１１の裏面１１ｂ全体で一様に等しくすることができるが、これに限定されない。各ドット状反射凹部１２の反射面１２ａを互いに平行にすることができるが、これに限定されない。例えば、図１４に示すように、導光板１１の縁１１ｅ付近で、反射面１２ａを導光板１１の中心に向けることができる。これにより、この付近で、反射光Ｌ２が導光板１１の中心に向かうようになる。
図示の例では、反射面１２ａは、平らな面とされているが、これに限定されない。反射面１２ａは、表面１１ｂ側に余計な光を漏らさずに表示媒体に対する充分な照明効果を得られるものであればよい。
【００２１】
反射面１２ａの表面粗さ（最大高さＲｙ）（JIS B 0601-1994）は、１μｍ以下、好ましくは０．１μｍ以下が好適である。表面粗さをこの範囲にすることによって、反射面１２ａにおける光の反射効率を高めることができる。
【００２２】
ドット状反射凹部１２の深さγ（図２）は、小さ過ぎれば、裏面１１ｃ側への反射光が少なくて照明効果が不十分となり、大き過ぎすぎれば、表示媒体からの光のドット状反射凹部１２による余計な方向への反射散乱によって、透明性が損なわれて表示の視認性が低下する。そのため、ドット状反射凹部１２の深さγは、１μｍ〜１ｍｍが好ましく、1０μｍ〜２００μｍがさらに好ましい。このドット状反射凹部１２の深さγは導光板１１全体で均一であってもよいし、そうでなくてもよい。
【００２３】
ドット状反射凹部１２の長辺長β１は、図３に示すように、小さ過ぎれば、裏面１１ｃ側への反射光が少なくて照明効果が不十分となり、大き過ぎれば、透明性が損なわれて表示の視認性が低下する。そのため、長辺長β１は、１μｍ〜１ｍｍが好ましく、1０μｍ〜２００μｍがさらに好ましい。
また、ドット状反射凹部１２の短辺長β２は、図３に示すように、１μｍ〜１ｍｍが好ましく、1０μｍ〜２００μｍがさらに好ましい。理由は、長辺長β１と同様である。
なお、長辺長β１、短辺長β２は、ドット状反射凹部１２の開口部分の長辺長、短辺長である。従って、これらを特に区別しない場合、以下、適宜、開口サイズと称する。
【００２４】
ドット状反射凹部１２の方向ｃについてのピッチｐ１（図３）、方向rについてのピッチｐ２が、いずれも、１μｍ〜１ｍｍに設定されることが好ましく、1０μｍ〜３００μｍに設定されることがより好ましい。
【００２５】
なお、これらのピッチｐ１とｐ２を等しくすることもできるし、違う値にすることも可能である。いずれにしても、これらのピッチは、ドット状反射凹部１２の後述する開口率Ｋと関係しており、この開口率Ｋが０．５〜５％の範囲となるように設定される。
全てのドット状反射凹部２の面積を一定とすると、光源１４に近いドット状反射凹部１２における反射光に比べ、光源１４から遠い位置にあるドット状反射凹部１２における反射光の強度が低くなる傾向がある。この反射光強度低下を補償するために、ピッチｐ１，ｐ２を光源１４からの距離に応じて変化させることができる。より具体的には、ドット状反射凹部１２のピッチｐ１およびピッチｐ２のうちの少なくとも一方を光源１４からの距離に応じて小さくするのが好ましい。
【００２６】
ドット状反射凹部１２の開口率Ｋは、０．５〜５％の範囲に、より好ましくは０．７５〜３．５％に設定されることが好ましい。
ここで、開口率Ｋとは、導光板１１の表面１１ｂ（又は裏面１１ｃ）における単位面積あたりのドット状反射凹部１２の面積の割合である。つまり、表面１１ｂ（又は裏面１１ｃ）に単位面積当たり形成されたドット状反射凹部１２の個数（密度）がｎ個／ｃｍ２ とされ、ドット状反射凹部１２の長辺長β１、短辺長β２がそれぞれ一定である場合、開口率Ｋはｎ×β１×β２で表せられ、また、ドット状反射凹部１２のピッチが一定である場合、開口率Ｋは（β１×β２）／（ｐ１×ｐ２）と表現される。
【００２７】
ドット状反射凹部１２の開口率Ｋが上記の範囲より小さいと、反射面１２ａの面積が充分に確保できないため、充分な反射光が得られず結果的に照明が暗くなってしまう。また、ドット状反射凹部１２の開口率Ｋが上記の範囲より大きいと、ドット状反射凹部１２が表面１１ｂ側から観察者に視認され易くなり、視認性が低下してしまう。
【００２８】
本実施形態の照明装置１０では、導光板１１により伝送された光源１４からの光は、ドット状反射凹部１２の反射面１２ａにより効率的に反射して裏面１１ｃから出射される。このため、照明装置１０の裏面１１ｃに接触するかこの裏面１１ｃに近接して配置される図示しない板状の表示媒体は、均一な照射光によって照明されることが可能になる。
したがって表面１１ｂ側からの観察者の視線をほとんど遮ることなく表示媒体の単位面積あたりの輝度を十分に大きくすることができる。このため、周囲が暗かったり、表示媒体から距離をおいて観察する場合でも優れた視認性が得られる。また、ドット状反射凹部１２の面積および密度を上記の範囲に抑えることで、照明装置１０の透明性は高くなり、表示の視認性はほとんど損なわれなくなる。
【００２９】
なお、本実施形態において、図４に示すように、ドット状反射凹部１２の列をｒ方向に例えば短辺長β２の分だけずらして設けることが可能である。さらに、図５に示すように、図中右側の列の右隣りに、ドット状反射凹部１２の列を、図４の例とはｒ方向逆向きにずらして設けることが可能である。以下、同様にドット状反射凹部１２の列を並べて設けることが可能である。このように光源１４側から見てドット状反射凹部１２がなるべく重ならないように配置することにより、光源１４から離れた位置での反射光の減少を防止することができる。また、ドット状反射凹部１２の列をｒ方向に交互にずらすように配置することもできる。
【００３０】
また、本実施形態においては、ドット状反射凹部１２を、裏面１１ｃ全体に一様に分散して設けたが、必ずしも一様でなくてもよい。例えば、ドット状反射凹部１２を、裏面１１ｃの特定部分のみに設けても良いし、裏面１１ｃの一部で粗または密となるように設けてもよい。例えば、光源１４から遠い周縁部分においては密度を増加させて輝度を補うことなどが可能である。
裏面１１ｃの一部にのみドット状反射凹部１２を設けることもできる。導光板１１は、平坦のみならず、湾曲してもよい。例えば、被照明体の形状に即して筒状などのあらゆる形状に湾曲させてもよい。
【００３１】
また、本実施形態において、表面１１ｂ側に保護層を設けることもできる。このような構成により、導光板１１に直接ゴミ等が付着することを防ぐことができ、光が散乱して不要な光が視認されることを抑制できる。さらに、この保護層を、導光板１１よりも屈折率の低い材料から構成することもできる。例えば、導光板１１がアクリル樹脂からなる場合、保護層の材料としては、アクリル樹脂よりも屈折率の低いシリコン系樹脂、フッ素系樹脂等を用いることができる。これにより、表面１１ｂに細かいゴミが付着した場合でも、導光板１１内の光が漏れて視認性が低下することを抑制できる。保護層は、スクリーン印刷法、ディッピング法等により形成することができる。
【００３２】
以下、本発明に係る表示装置に関する第２実施形態を、図面に基づいて説明する。
図６は、本実施形態における表示装置２０を示す模式側断面図であり、図７は本実施形態における表示装置２０を示す模式斜視図であり、符号６は照射対象の表示部である。本実施形態において、上述した実施形態で示した構成に対応する構成要素には同一の符号を付してその説明を省略する。
【００３３】
本実施形態の表示装置２０においては、図６に示すように、照明装置１０が内蔵されている。照明装置１０は、表示媒体としての表示部６の表示領域６０の前側に、裏面１１ｃ側から出射する反射光によって表示領域６０の全体を照明できるように配置される。そして、図７に示すように、これら照明装置１０と表示部６とが、図示しない電源や表示制御部とともに操作部２１ａを設けたケース２１に格納される。このような構成により、外光が充分にある明るいときには操作部２１ａを操作して照明装置１０を消灯させて表示部６を見ることができ、外光が充分でなく暗いときには操作部２１ａを操作して照明装置１０を点灯させて表示部６を見ることができる。なお、これらの操作なしに、外光の明るさを検知して暗いときは照明装置１０を点灯し、明るいときは照明装置１０を消灯する制御を行ってもよい。いずれにしても、照明装置１０の点灯時には、均一で充分な輝度が得られることで、表示部６の視認性が確保されることになる。照明装置１０の消灯時には、照明装置１０に透明性があるために、表示部６の視認性が確保されることになる。
【００３４】
本実施形態においては、表示部６には、電気泳動方式が採用され、図８に示すように、電気泳動素子としてのマイクロカプセル６１を複数、素子基板６２と対向基板６３との間に配列して構成される画素が表示領域６０全体に平面的に多数設けられている。なお、表示領域６０は、例えば、導光板１１の縁から５ｍｍ程度内を除く部分であって、ケース２１で覆われていない部分とされる。
マイクロカプセル６１は、例えば５０μｍ程度の粒径を有しており、内部にオイルなどの分散媒体と、多数の白色粒子６４、黒色粒子６５とを封入した球状体である。
【００３５】
白色粒子６４は、例えば、二酸化チタン、亜鉛華、三酸化アンチモン等の白色顔料からなる粒子（高分子あるいはコロイド）であり、例えば負に帯電されて用いられる。黒色粒子６５は、例えば、アニリンブラック、カーボンブラック等の黒色顔料からなる粒子（高分子あるいはコロイド）であり、例えば正に帯電されて用いられる。これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。また、黒色粒子６５及び白色粒子６４に代えて、例えば赤色、緑色、青色などの顔料を用いてもよい。かかる構成によれば、赤色、緑色、青色などを表示することができる。
【００３６】
図８は、電気泳動素子の動作説明図であり、（ａ）は、画素を白表示する場合、（ｂ）は、画素を黒表示する場合をそれぞれ示しており、図８（ａ）に示す白表示の場合には、照明装置１０側の透明電極６２が相対的に高電位、電極６３が相対的に低電位に保持される。これにより、負に帯電した白色粒子６４が電極６４に引き寄せられる一方、正に帯電した黒色粒子６５が電極６３に引き寄せられる。その結果、表示面側となる電極６２側からこの画素を見ると、白色（Ｗ）点が認識される。図８（ｂ）に示す黒表示の場合、電極６２が相対的に低電位、電極６３が相対的に高電位に保持される。これにより、正に帯電した黒色粒子６５が電極６３に引き寄せられる一方、負に帯電した白色粒子６４が電極６３に引き寄せられる。その結果、電極６３側からこの画素を見ると黒色（Ｂ）点が認識される。
なお、図８は、黒粒子が正に、白粒子が負に帯電している場合の動作説明図であるが、必要に応じて、黒粒子を負に、白粒子を正に帯電させてもよい。この場合、上記と同様に電位を供給すると、白表示と黒表示とを反転した表示が得られる。
【００３７】
以上のように構成された電気泳動方式の表示装置２０においては、昼間や室内等の明るい場所では外光が表面１１ｂ側から入射し、マイクロカプセル６１等の電気泳動素子を透過した後に反射板を兼用する電極６３にて反射され、再び電気泳動素子を透過して出射される。これにより、電気泳動素子による白黒表示が視認される。
【００３８】
本発明の表示装置においては、例えば、表示領域６０が略矩形状とされ、その対角長は５．１ｃｍ（２インチ）〜３６．４ｃｍ（Ａ４サイズ）の範囲とされる。Ａ４サイズなどの大画面でも、均一な輝度で表示領域６０全体を照明することができ、かつ、表示の視認性低下を最小限に抑えることができる。
【００３９】
また、本実施形態では、表示部６としては電気泳動式の表示部を用いたが、コレステリック液晶を用いた表示部とすることもできる。
【００４０】
以下、本発明に係る照明装置および表示装置の第３実施形態を、図面に基づいて説明する。
図９は、本実施形態における表示装置３０を示す模式側断面図であり、符号７は被照明体である。本実施形態において、上述した実施形態で示した構成に対応する構成要素には同一の符号を付してその説明を省略する。
【００４１】
本実施形態においては、表示媒体としての表示部７は、反射型液晶表示装置とされ、その表示領域７０は図６，図７に示した表示領域６０に対応する領域とされ、表示領域７０においては、電極間に液晶が配置された構成とされる。
導光板１１は、図９に示すように、表示部７の表示領域７０の前面に隣接して配置される。表示部７の背面には反射板７１を配置し、反射型液晶表示装置を構成している。導光板１１は、表示部７を照射するとともに反射板７１によって反射されて液晶を通ってきた光をほとんど散乱することなく、透過することができる。このため、外光が充分に照射している所で光源１４を消灯した場合、光源１４からの光の代わりに外光が照射されているので、視認性の低下を防ぎ、表示品質への影響を最小限にすることが可能である。また、外光が充分でない暗い所で光源１４を点灯した場合、導光板１１は、表示領域７０全体を均一に照明し、反射板７１によって反射されて液晶を通ってきた光を、前述の消灯時と同様にほとんど散乱することなく、透過することができる。このため、高い視認性を得ることができる。
【００４２】
また透過型液晶表示装置では、バックライトを液晶の後ろに配置しているので、バックライトからの光が液晶を１回のみ透過して明部暗部のコントラストを発生するのに対し、本実施形態のような反射型液晶表示装置では、フロントライトとしての照明装置１０を表示部７の前に配置しているので、照明装置１０からの光が液晶を１回透過したのち反射板７１によって反射してもう１回透過するため、コントラストが高まり、高い視認性を得ることができる。これにより、外光を利用する掲示物、表示体等の表示媒体に適した薄型面照明を提供することができる。
【００４３】
また、外光が不足している暗い環境下で表示媒体としての紙の本などを読む際の照明に使用したり、表示媒体としてのアウトドアマップの照明に使用する単独で携帯可能な照明機器があると便利である。このような照明機器４０は、例えば、図１０に示すように、照明装置４０の大半が露出（突出）した状態で、光源１４や図示しない電源などを、操作部４１ａを有するケース４１に格納した構成とすることができる。この照明機器４０を用いる際には、紙の本などの被照明体（表示媒体）の印刷面とされる表示領域の少なくとも一部が導光体１１で覆われるようにする。この状態で光源１４への給電をオンすると、光源１４からの光が導光板１１の全体に分散しているドット状反射凹部１２で反射して、裏面１１ｃ側の表示媒体が一様に照明される。これにより、表示領域上の文字・図版などを良好に視認することが可能となる。
以上説明したように、本発明の実施形態によれば、簡単な構成により、薄型で照度均一性が高く、使用光源が少なく省電力な照明装置およびこれを内蔵する表示装置等を提供することができる。
【００４４】
以下、本発明に係る照明装置および表示装置の第２実施形態を、図面に基づいて説明する。
本実施形態において、上述した実施形態で示した構成に対応する構成要素には同一の符号を付してその説明を省略する。本実施形態における表示装置７０が、図６，図７に示した実施形態と異なるのは、照明装置７１（１０）が別体として着脱可能に設けられている点であり、図１１は、本実施形態における照明装置７１が脱離された表示装置７０を示す模式側断面図であり、図１２は、本実施形態における照明装置７１が装着された表示装置７０を示す模式側断面図である。
【００４５】
本実施形態の表示装置７０によれば、照明装置１０の４隅の縁部に複数の係止部１８が設けられ、それらの係止部１８が、表示装置７２に係止されて照明装置１０が装着される。
係止部１８は、導光板１１の裏面１１ｃからｔ方向に突出して設けられた突出部1８ａと、その先端に内向きに設けたケース２１に係止可能な可撓性を有する凸部１８ｂとを有している。この係止部１８は導光板１１と一体とすることも可能である。
係止部１８を設ける位置は、図１３に示すように、表示領域６０の外側であれば、どの位置でもよく、また、図示した４箇所に限らない。また、係止部自体も、図示の形状に限るものでなく、可撓性を有する構成以外にも、回動する切り替え固定部などを設ける構成とすることも可能である。
【００４６】
さらに、本発明の照明装置には、種々の用途がある。これを例示してみると、携帯電話、小型情報機器、腕時計などの携帯機器の照明、本のページに載せて使用する読書用コンパクト照明、飛行機内読書用照明、アウトドア用マップ照明、ルーペ照明、フォトフレーム照明、額縁照明などの家庭内小物に使用する照明などである。
【符号の説明】
【００４７】
６…被照明体（表示装置、表示媒体）、７…被照明体（表示装置、表示媒体）、１０…照明装置、１１…導光板、１１ａ…端面、１１ｂ…非対向面（表面）、１１ｃ…対向面（裏面）、１２ａ…反射面、６０，７０…被照明領域（表示領域）、１２…ドット状反射凹部、１２ａ…反射面、１４…光源
【図１】
0005460440.tif 000002
【図２】
0005460440.tif 000003
【図３】
0005460440.tif 000004
【図４】
0005460440.tif 000005
【図５】
0005460440.tif 000006
【図６】
0005460440.tif 000007
【図７】
0005460440.tif 000008
【図８】
0005460440.tif 000009
【図９】
0005460440.tif 000010
【図１０】
0005460440.tif 000011
【図１１】
0005460440.tif 000012
【図１２】
0005460440.tif 000013
【図１３】
0005460440.tif 000014
【図１４】
0005460440.tif 000015